(57)【要約】【課題】ビルなどの給水設備において給水口から供給する水を、塩素剤などを使用せずに、種々の給水方式の給水設備においていずれも効率よく滅菌して、その水質を維持するための水処理装置を提供する。【解決手段】第１の水処理装置１は、水道の水を、ポンプＰ１の水圧によって給水口に直接に供給する給水路１０の途中に、水に通電して電解処理するための電解処理手段１１を設けた。第２の水処理装置１は、水道の水を、給水タンク１４ｂに貯留したのち給水口に供給する給水路１４の、給水タンク１４ｂより上流側に、固形分を除去するためのろ過手段Ｆ１を設けるとともに、給水タンク１４ｂに、循環ポンプＰ２によって水を循環させながら、電解処理手段１１によって電解処理するための処理水路１５を接続した。【効果】上記いずれかの構成を採用することで、種々の給水方式の給水設備において、水を効率よく滅菌して、その水質を維持することができた。【選択図】　図１
2004058020.tif 000002
【特許請求の範囲】
【請求項１】
水道の水を、ポンプの水圧によって、ビルなどに設けた複数の給水口に直接に供給するための給水路を備えた水処理装置であって、給水路の途中に、
当該給水路を流れる水に通電して電解処理するための電解処理手段を設けたことを特徴とする水処理装置。
【請求項２】
給水路を、電解処理手段に対して、水が鉛直方向下方から流入して鉛直方向上方に流出するように配設したことを特徴とする請求項１記載の水処理装置。
【請求項３】
給水路の、電解処理手段より下流側に、電解によって発生するガスを除去するためのガス抜き部を設けたことを特徴とする請求項２記載の水処理装置。
【請求項４】
給水路の、電解処理手段より下流側に、水にミネラル分を補給するためのミネラル補給部を設けたことを特徴とする請求項１記載の水処理装置。
【請求項５】
水道の水を、給水タンクに貯留したのち、ビルなどに設けた複数の給水口に供給するための給水路を備えた水処理装置であって、
当該給水タンクに貯留した水を取り込んで、処理後に給水タンクに還流するための処理水路を有し、かつこの処理水路の途中に、水を、処理水路を通して給水タンクに循環させるための循環ポンプと、処理水路を流れる水に通電して電解処理するための電解処理手段とを配設するとともに、給水路の、給水タンクより上流側に、水に混入した固形分を除去するためのろ過手段を設けたことを特徴とする水処理装置。
【請求項６】
処理水路の、電解処理手段より下流側に、水にミネラル分を補給するためのミネラル補給部を設けたことを特徴とする請求項５記載の水処理装置。
【発明の詳細な説明】
【０００１】
【発明の属する技術分野】
この発明は、例えばビルなど設けた複数の給水口に給水する水を処理するための、新規な水処理装置に関するものである。
【０００２】
【従来の技術】
例えばオフィスビルやマンションなどのビルにおいて、各階に設けた複数の給水口（給水栓や給湯器への給水部など）に給水するための給水設備としては、水道配管から取り込んだ水を、ビルの屋上などに設けた給水タンクに一旦、貯留したのち、この給水タンクから各給水口に給水する給水路を備えたものが一般的である。
【０００３】
また近時、水道配管から取り込んだ水を、ポンプの水圧によって直接に、各給水口に給水する給水路を備えた給水設備も普及しつつある。
これらの給水設備においては従来、その水質を維持するために、浄水場で加えられた塩素の滅菌力に頼っていた。
しかし給水タンク方式の給水設備において、給水タンクの内部を定期的に清掃するなどのメンテナンスを怠って、菌類や藻類などの繁殖による水質の悪化を引き起こす事例が多発したため、水質の保全が義務付けられることとなった。
【０００４】
そこで給水タンク内に貯留した水に、その残留塩素濃度に応じて、塩素供給装置から、次亜塩素酸ソーダ水溶液などの塩素剤を供給して滅菌処理する方法と、それを実施するための装置が提案された（特開平５−７８９７号公報）。
【０００５】
【発明が解決しようとする課題】
しかし、上記公報に記載の方法および装置では、次亜塩素酸ソーダ水溶液などの刺激性のある塩素剤を、塩素供給装置に定期的に補充する必要があり、手間がかかる上、ランニングコストが高くつくという問題がある。
また、塩素剤を添加して水を滅菌処理する際には、塩素濃度が高くなりすぎて利用者が刺激や異臭を感じたりするのを防止するために、塩素剤の添加量を少量に制限する必要がある。
【０００６】
このため、上記公報に記載のように一旦、給水タンクに貯留した多量の水に、塩素供給装置から少量ずつの塩素剤を供給して滅菌処理することは可能であるが、給水路を断続的に流れる少量の水に、刺激や異臭を生じない極めて少量の塩素剤を添加しながら連続的に処理することは実質的に不可能である。
したがって上記公報に記載の方法および装置は、水道配管から取り込んだ水を貯留せずに、直接に給水口に供給する方式の給水設備には適用できないという問題もある。
【０００７】
この発明の目的は、ビルなどの給水設備において給水口から供給する水を、塩素剤などを使用せずに、種々の給水方式の給水設備においていずれも効率よく滅菌して、その水質を維持するための、新規な水処理装置を提供することにある。
【０００８】
【課題を解決するための手段および発明の効果】
請求項１記載の発明は、水道の水を、ポンプの水圧によって、ビルなどに設けた複数の給水口に直接に供給するための給水路を備えた水処理装置であって、給水路の途中に、
当該給水路を流れる水に通電して電解処理するための電解処理手段を設けたことを特徴とする水処理装置である。
【０００９】
請求項１の構成においては、水道配管から取り込んだ水道水などの塩素を含む水に、電解処理手段において直流電流を通電すると、下記の電気化学反応を生じる。
（アノード側）
４Ｈ２Ｏ−４ｅ−→４Ｈ＋＋Ｏ２↑＋２Ｈ２Ｏ
２Ｃｌ−→Ｃｌ２＋２ｅ−
Ｈ２Ｏ＋Ｃｌ２⇔ＨＣｌＯ＋Ｈ＋＋Ｃｌ−
（カソード側）
４Ｈ２Ｏ＋４ｅ−→２Ｈ２↑＋４ＯＨ−
（アノード側＋カソード側）
Ｈ＋＋ＯＨ−→Ｈ２Ｏ
そして、上記反応の過程で生成する次亜塩素酸またはそのイオン（ＨＣｌＯ、ＣｌＯ−）や塩素（Ｃｌ２）、あるいは反応中、ごく短時間のみ存在する活性酸素などの滅菌作用によって、水を滅菌処理することができる。
【００１０】
しかもこの電気化学反応による滅菌処理は、給水路を継続的に流れる少量の水に対して、水の塩素濃度が高くなりすぎたり、逆に低くなりすぎたりしないように通電する電流量や通電時間などを制御しながら連続的に、あるいは断続的に行うことができる。
したがって請求項１の構成によれば、水道の水を、ポンプの水圧によって、ビルなどに設けた複数の給水口に直接に供給する設備において、当該水を、塩素剤などを使用せずに効率よく滅菌して、その水質を維持することができる。
【００１１】
請求項２記載の発明は、給水路を、電解処理手段に対して、水が鉛直方向下方から流入して鉛直方向上方に流出するように配設したことを特徴とする請求項１記載の水処理装置である。
請求項２の構成によれば、前記の電気化学反応時に発生する酸素や水素などのガスを、電解処理手段内に滞留させることなく、水流によって円滑に流出させることができる。したがって、これらのガスが電解処理手段内に滞留することによって、電極の、水に対する接触面積が減少して電解処理の効率が低下することなどを、より確実に防止することができる。
【００１２】
請求項３記載の発明は、給水路の、電解処理手段より下流側に、電解によって発生するガスを除去するためのガス抜き部を設けたことを特徴とする請求項２記載の水処理装置である。
請求項３の構成によれば、水流によって電解処理手段内から流出させたガスを、その下流側に設けたガス抜き部において水から除去することができる。このため、上記ガスが気泡として混入した、白濁した水が、給水口から吐出されることなどを、より確実に防止することができる。
【００１３】
請求項４記載の発明は、給水路の、電解処理手段より下流側に、水にミネラル分を補給するためのミネラル補給部を設けたことを特徴とする請求項１記載の水処理装置である。
請求項４の構成によれば、電解処理後の水にミネラル分を補給して、飲料水としておいしい、まろやかな口当たりの水を、給水口に供給することができる。
しかもミネラル補給部は電解処理手段より下流側に設けてあるため、ミネラル補給部で発生するミネラル分が電解処理手段に供給されて、電解処理手段の電極の表面にスケールとして付着するのを確実に防止することもできる。
【００１４】
請求項５記載の発明は、水道の水を、給水タンクに貯留したのち、ビルなどに設けた複数の給水口に供給するための給水路を備えた水処理装置であって、
当該給水タンクに貯留した水を取り込んで、処理後に給水タンクに還流するための処理水路を有し、かつこの処理水路の途中に、水を、処理水路を通して給水タンクに循環させるための循環ポンプと、処理水路を流れる水に通電して電解処理するための電解処理手段とを配設するとともに、給水路の、給水タンクより上流側に、水に混入した固形分を除去するためのろ過手段を設けたことを特徴とする水処理装置である。
【００１５】
請求項５の構成によれば、水道配管から取り込んで給水タンクに貯留した水を、循環ポンプを作動させて処理水路を循環させながら、電解処理手段において電解処理することで、前述した電気化学反応によって滅菌処理することができる。また請求項５の構成では、給水路の、給水タンクより上流側に設けたろ過手段によって、例えば水道配管中に発生したさび等に由来する微細な鉄粒などの固形分を除去した後、水を給水タンクに供給している。
【００１６】
このため給水タンクに貯留した水を、処理水路を通して電解処理手段に循環させる際に、固形分が循環ポンプに挟まって当該循環ポンプを動かなくしたり、特に鉄粒等の金属粉によって電極が短絡したりするといった問題が生じるのを防止することができる。
また鉄粒中の鉄が、電解反応によって生成した有効塩素成分と反応して、当該有効塩素成分を無駄に消費するのを防止することもできる。
【００１７】
したがって請求項５の構成によれば、水道の水を、給水タンクに貯留したのち、ビルなどに設けた複数の給水口に直接に供給する設備において、当該水を、塩素剤などを使用せずに効率よく滅菌して、その水質を維持することができる。
請求項６記載の発明は、処理水路の、電解処理手段より下流側に、水にミネラル分を補給するためのミネラル補給部を設けたことを特徴とする請求項５記載の水処理装置である。
【００１８】
請求項６の構成によれば、電解処理後の水にミネラル分を補給して、飲料水としておいしい、まろやかな口当たりの水を、給水口に供給することができる。
しかもミネラル補給部は電解処理手段より下流側に設けてあるため、ミネラル補給部で発生するミネラル分が電解処理手段に供給されて、電解処理手段の電極の表面にスケールとして付着するのを防止することもできる。
【００１９】
【発明の実施の形態】
図１（ａ）は、この発明の一実施形態にかかる水処理装置１の構成を簡略化して示す図である。
この例の水処理装置１は、図示しない水道配管から導入した水を、ポンプＰ１の水圧によって、図中に実線の矢印で示すように、ビルなどに設けた複数の給水口としての、給水栓Ｆｃや給湯器Ｗｈの給水部などに直接に供給するための給水路１０を有するものである。
【００２０】
また給水路１０の、ポンプＰ１より上流側には、前記のように水道配管中に発生したさび等に由来する微細な鉄粒などの固形分を除去するためのろ過手段Ｆ１と、水からトリハロメタン、重金属などを除去するためのろ過手段Ｆ２とをこの順に設けてある。
このうちろ過手段Ｆ１としてはストレーナ、フィルタ、および鉄粒除去のための磁石などを適宜、組み合わせて使用することができる。
【００２１】
またストレーナとしては樹脂、金属等の種々の材質にて形成した網体などを挙げることができる。フィルタとしては、天然あるいは化学繊維製の不織布などを挙げることができる。
また水からトリハロメタン、重金属などを除去するためのろ過手段Ｆ２としては、例えば逆浸透膜を利用したろ過装置などを用いることができる。
給水路１０の、ポンプＰ１より下流側には、水に通電して電解処理するための電解処理手段１１と、電解処理した水にミネラル分を補給するためのミネラル補給部Ｍ１と、電解によって発生するガスを水中から除去して、図中に一点鎖線の矢印で示すように系外に排出するためのガス抜き部Ｇ１とをこの順に配設してある。
【００２２】
このうち電解処理手段１１は、図１（ｂ）に示すように、給水路１０を構成する配管１０ａの途中に挿入した、当該配管１０ａより径の大きい筒状の筐体１１ａと、この筐体１１ａ内に、互いに電気的に絶縁した状態で配置した、図では手前の１枚しか示していないが実際には複数枚の電極１１ｂとを備える。
図において符号１１ｃは、各電極１１ｂからそれぞれ筐体１１ａの外まで延設した端子部であって、電極１１ｂに配線を接続するための端子としての機能と、筐体１１ａに、図示していないが絶縁体などを介して固定することで、電極１１ｂを、筐体１１ａ内の所定の位置に位置決めするための固定部としての機能とを兼ね備えている。それゆえ位置決めと固定とをより確実にすべく、図の例では、端子部１１ｃを、各電極１１ｂにそれぞれ２本ずつ設けてある。
【００２３】
電極１１ｂのうちアノード側の電極としては、前述した電気化学反応によって次亜塩素酸などを生成させる機能を有する電極（ＤＳＡ電極）を用いる。
かかるＤＳＡ電極としては、例えば金（Ａｕ）、白金（Ｐｔ）、パラジウム（Ｐｄ）、白金−パラジウム（Ｐｔ−Ｐｄ）、白金−イリジウム（Ｐｔ−Ｉｒ）などの、電気化学反応時に触媒として機能する貴金属の薄膜を、チタニウム（Ｔｉ）などからなる基板の表面全面に、めっきや焼成処理などによってコーティングしたものを挙げることができる。
【００２４】
またカソード側の電極としては、上記チタニウム製の基板などをそのまま用いることができる。
また、とくにアノード側の電極の急速な劣化や、カソード側の電極へのスケールの付着などを抑制して両電極を長寿命化するため、両電極の極性を定期的に逆転させて電解処理することも考えられる。その場合は、両方の電極をＤＳＡ電極とすればよい。
【００２５】
またこの例では、図１（ａ）（ｂ）に実線の矢印で示すように給水路１０を、電解処理手段１１に対して、水が鉛直方向下方から流入して鉛直方向上方に流出するように配設してある。
これにより、前述した電気化学反応によって発生する水素や酸素などのガスを、電解処理手段１１の筐体１１ａ内に滞留させることなく、水流によって円滑に、下流側に流出させることができる。
【００２６】
ミネラル補給部Ｍ１としては、例えば粒状の麦飯石やサンゴ砂などの、ミネラル分の供給源となる天然物を水と接触させて、水中にミネラル分を溶出させて補給する部材などを用いることができる。
ガス抜き部Ｇ１としては、例えばフィルタなどによって、水に混入したガスの気泡を除去する部材などを用いることができる。
またフィルタとしては、天然あるいは化学繊維製の不織布などの多孔質体にて形成するとともに、その開口径を、ポンプＰ１を作動させることで給水路１０に発生する、あらかじめ設定された水圧が加わった際に、水は通すが、水中に混入したガスの気泡は通さない大きさに設定したものなどを用いることができる。
【００２７】
またかかるフィルタは、ポンプＰ１を作動させて給水路１０に水流を生じさせた直後にミネラル補給部Ｍ１で発生する水の白濁が、下流側に及ぶのを防止する機能をも有している。すなわちフィルタは、ミネラル補給部Ｍ１内で、水流の発生によって水中に浮遊した、白濁の原因である麦飯石やサンゴ砂などの微細粒子を下流側に透過させずに捕捉して、下流側の水の白濁を防止する。
このため給水口からは、前述した電解処理手段１１で発生するガスの気泡や、あるいはミネラル補給部Ｍ１で発生する水の白濁などの影響のない、澄んだ、きれいな水を常に供給することができる。
【００２８】
上記各部を備えたこの例の水処理装置１の、動作の制御については特に限定されない。
しかし、例えば給水路１０内の水の塩素濃度が高くなりすぎるのを防止するためには、どこかの給水栓Ｆｃが開かれるか、あるいは給湯器Ｗｈが作動したことを検知してポンプＰ１が動作している間だけ、電極１１ｂに通電して電解処理を行ったりするのが好ましい。
【００２９】
また夜間などの、ポンプＰ１が長時間、全く停止している間の水質を維持するために、例えばタイマで設定した一定時間おきに、電極１１ｂに通電して電解処理を行ったりすることも好ましい。
上記例の水処理装置１は、通常の給水設備として用いても良いし、通常の、水道水をそのまま利用する給水設備とは別に、上記例の水処理装置１を並列的に設けるようにしても良い。
【００３０】
図２（ａ）は、この発明の他の実施形態にかかる水処理装置１の構造を簡略化して示す図である。
この例の水処理装置１は、図示しない水道配管から配管１４ａを通して導入した水を、図中に実線の矢印で示すように一旦、給水タンク１４ｂに貯留したのち、配管１４ｃを通して、図示しない複数の給水口に供給するための給水路１４を有するものである。
【００３１】
上記のうち配管１４ａの途中には、前述したように水道配管中に発生したさび等に由来する微細な鉄粒などの固形分を除去するためのろ過手段Ｆ１を設けてある。
したがって、ろ過手段Ｆ１でこれらの固形分を除去した水を給水タンク１４ｂに供給して、前述した種々の問題が発生するのを確実に防止することができる。ろ過手段Ｆ１としては、先の図１（ａ）の例の場合と同様にストレーナ、フィルタ、および鉄粒除去のための磁石などを適宜、組み合わせたものを使用することができる。またストレーナやフィルタについても、前記と同様の構成とすることができる。
【００３２】
また給水タンク１４ｂの天板には、後述する電解処理手段１１で発生したガスをタンク外に排出するための吸排気手段として、排気口１４ｄと吸気口１４ｅとを配設してあり、排気口１４ｄにファンＢＷを配設してある。
なお符号Ｖ１は、配管１４ｃの途中に設けた、給水タンク１４ｂのメンテナンス時などに開閉する弁である。
給水タンク１４ｂには、図中に一点鎖線の矢印で示すように、当該給水タンク１４ｂから水ｗを取り込んで、電解処理手段１１によって電解処理したのち、再び給水タンク１４ｂに還流させるための処理水路１５を接続してある。
【００３３】
電解処理手段１１としては、先の図１（ａ）の例の場合と同様に、図１（ｂ）に示したものなどを用いることができる。
処理水路１５を、電解処理手段１１に対して、水が鉛直方向下方から流入して鉛直方向上方に流出するように配設するのが好ましいことも同様である。これにより、電気化学反応によって発生する水素や酸素などのガスを、電解処理手段１１の筐体１１ａ内に滞留させることなく、水流によって円滑に、下流側に流出させることができる。
【００３４】
また処理水路１５の、電解処理手段１１より上流側には、給水タンク１４ｂのメンテナンス時などに開閉する弁Ｖ２と、先の図１（ａ）の例の場合と同様に逆浸透膜を利用したろ過装置などからなるろ過手段Ｆ２と、水ｗを、処理水路１５内で循環させるための循環ポンプＰ２とをこの順に配設してある。
逆浸透膜を利用したろ過手段Ｆ２は、前記のように水ｗからトリハロメタンや重金属などを除去する機能を有する上、ミネラル分を除去する機能をも有する。このため、次に述べるミネラル補給部Ｍ１によって補給したミネラル分などを除去した水を、電解処理手段１１に供給して、電極１１ｂへのスケールの付着を防止することができる。
【００３５】
処理水路１５の、電解処理手段１１より下流側には、電解処理した水にミネラル分を補給するためのミネラル補給部Ｍ１と、ミネラル補給部Ｍ１で発生する水の白濁が給水タンク１４ｂに及ぶのを防止するためのろ過手段Ｆ３と、給水タンク１４ｂのメンテナンス時などに開閉する弁Ｖ３とをこの順に配設してある。
このうちミネラル補給部Ｍ１としては、先の図１（ａ）の例の場合と同様に、麦飯石やサンゴ砂などからミネラル分を供給する部材を用いることができる。
【００３６】
またろ過手段Ｆ３としては、天然あるいは化学繊維製の不織布などの多孔質体にて形成してなり、白濁の原因である麦飯石やサンゴ砂などの微細粒子を透過させない機能を有するフィルタを備えた部材などを用いることができる。
またこのフィルタの開口径を、循環ポンプＰ２を作動させることで処理水路１５に発生する、あらかじめ設定された水圧が加わった際に、水は通すが、水中に混入したガスの気泡は通さない大きさに設定することで、ろ過手段Ｆ３に、電解処理手段１１で発生したガスを除去するガス抜き部としての機能を付与しても良い。この場合は、給水タンク１４ｂの天板の排気手段を省略することができる。
【００３７】
さらに処理水路１５の、ろ過手段Ｆ２と電解処理手段１１との間の位置には、分岐点Ｊ２で処理水路１５から分岐し、水中の残留塩素濃度を測定するための残留塩素センサＳ１を経て、電解処理手段１１とミネラル補給部Ｍ１との間の合流点Ｊ３で再び処理水路１５と合流する分岐水路１６を接続してある。
図２（ｂ）は、図（ａ）の水処理装置１の、電気的な構成を示すブロック図である。図に見るように水処理装置１は、電解処理手段１１の電極１１ｂに通電制御しつつ、装置を構成する各部を作動させる制御手段としての制御部３０を備えている。
【００３８】
残留塩素センサＳ１の出力は、制御部３０へ与えられる。制御部３０内には、各種動作のタイミングを規定するためのタイマ３１と、各種動作の基準となる初期値などを登録したメモリ３２とを設けている。
制御部３０は、残留塩素センサＳ１の出力、タイマ３１によって規定したタイミング、並びにメモリ３２に記録した初期値などに基づいて種々の演算を行い、それに基づいて制御信号をドライバ３３へ与える。そしてドライバ３３は、与えられる信号に基づいて電極１１ｂへの通電制御を行い、かつ循環ポンプＰ２の駆動制御を行う。
【００３９】
水処理装置１の運転を開始すると、制御部３０は、まず循環ポンプＰ２を駆動して、給水タンク１４ｂ内の水ｗを、図３（ａ）中に一点鎖線の矢印で示すように処理水路１５を通して、また同図中に二点鎖線の矢印で示すように分岐水路１６を通して、それぞれ循環させながら、残留塩素センサＳ１によって、当該水の残留塩素濃度を継続的に、あるいは定期的に計測する。
その結果、残留塩素濃度がメモリ３２に記録した規定値以上である場合はこの状態を維持するが、規定値未満になると、電解処理手段１１において電解処理を行って、次亜塩素酸などの成分を発生させ、それによって水を滅菌する。
【００４０】
そして残留塩素センサＳ１で測定した残留塩素濃度が規定値未満である間は電解処理による水の滅菌を続け、規定値以上になると電解処理を停止して、残留塩素センサＳ１によって水の残留塩素濃度を継続的、または定期的に計測する初期状態に戻る。
これにより、菌類や藻類などの繁殖を防止して、給水タンク１４ｂ内の水を常時、きれいな状態に維持することができる。
【００４１】
また制御部３０は、電解処理手段１１による水の電解処理を開始すると、それと同時に、あるいは前後してファンＢＷの運転を開始する。そして、電解処理によって発生し、気泡となって、処理水路１５を通して給水タンク１４ｂ内に到達したのち、水面へ浮上したガスを、排気口１４ｄを通してタンク外へ排出させるとともに、外気を、吸気口１４ｅを通してタンク内に供給する。
そして制御部３０は、電解処理手段１１による水の電解処理を停止すると、その後、一定時間が経過するまでファンＢＷの運転を続けたのち、その運転を停止して、残留塩素センサＳ１によって水の残留塩素濃度を継続的、または定期的に計測する初期状態に戻る。
【００４２】
電解処理を停止した後もしばらくの間、ファンＢＷの運転を続けるのは、ガスが、気泡として電解処理手段１１から給水タンク１４ｂ内に到達したのち、水面へ浮上するまでに時間がかかるためである。
また、上記各部の制御とは別に、制御部３０は、給水タンク１４ｂ内の水位を検知して、当該水位が一定値以下になった時点で、図示しないポンプを駆動して、水道配管から水を取り込んで給水タンク１４ｂに供給し、水位が一定値以上になった時点でポンプの駆動を停止して水の供給を停止することにより、給水タンク１４ｂ内の水位を所定の範囲に維持する機能を有しても良い。
【００４３】
この発明は、以上で説明した実施形態に限定されるものでなく、各請求項記載の範囲内において、種々の変更が可能である。
【図面の簡単な説明】
【図１】同図（ａ）は、この発明の一実施形態にかかる水処理装置の構成を簡略化して示す図、同図（ｂ）は、上記水処理装置に用いる電解処理手段の一例を示す正面図である。
【図２】同図（ａ）は、この発明の他の実施形態にかかる水処理装置の構成を簡略化して示す図、同図（ｂ）は、上記例の水処理装置の、電気的な構成を示すブロック図である。
【符号の説明】
１　水処理装置
１０、１４　給水路
１１　電解処理手段
１４ｂ　給水タンク
１５　処理水路
Ｆ１、Ｆ２　ろ過手段
Ｇ１　ガス抜き部
Ｍ１　ミネラル補給部
Ｐ１　ポンプ
Ｐ２　循環ポンプ
【図１】
2004058020.tif 000003
【図２】
2004058020.tif 000004